(57)【要約】【課題】小型化が可能で、かつ押ボタンを安定的に操作できる発信機を得ることを目的とする。【解決手段】本発明に係る発信機１は、火災信号を発信する発信スイッチ５、発信スイッチ５を格納する本体部７と、押下されることで発信スイッチ５のスイッチボタン５ａを作動させる押ボタン３と、押ボタン３を格納する押ボタン格納部９と、押ボタン３を押上方向に常時付勢する付勢手段としての押ボタン用コイルバネ３５と、押ボタン３の一部に係止して押ボタン３の押下状態を保持する保持片７１とを備えており、押ボタン格納部９には、押ボタン３が押下前の姿勢を維持したまま保持片７１側に向かって押下移動するようにガイドするガイド溝５７が設けられていることを特徴とするものである。【選択図】  図１
2014153993.tif 000002
【特許請求の範囲】
【請求項１】
火災信号を発信する発信スイッチと、該発信スイッチを格納する本体部と、押下されることで前記発信スイッチのスイッチボタンを作動させる押ボタンと、該押ボタンを格納する押ボタン格納部と、前記押ボタンを押上方向に常時付勢する付勢手段と、前記押ボタンの一部に係止して該押ボタンの押下状態を保持する保持片とを備えてなる発信機であって、
前記押ボタン格納部には、前記押ボタンが押下前の姿勢を維持したまま前記保持片側に向かって押下移動するようにガイドするガイド部が設けられていることを特徴とする発信機。
【請求項２】
前記ガイド部はガイド溝からなり、前記押ボタンは前記ガイド溝に挿入されるスライド片を有し、前記ガイド溝が前記保持片側に向かって傾斜していることを特徴とする請求項１に記載の発信機。
【請求項３】
前記ガイド部はガイド片からなり、前記押ボタンは前記ガイド片が挿入される溝部を有し、前記ガイド片は前記保持片側に向かって傾斜していることを特徴とする請求項１に記載の発信機。
【請求項４】
前記付勢手段は、バネからなり、該バネを前記発信スイッチのスイッチボタンに隣接して設けたことを特徴とする請求項１乃至３のいずれか一項に記載の発信機。
【請求項５】
前記付勢手段はバネからなり、該バネを前記押ボタン格納部における前記スイッチボタンを挟んだ前記保持片設置側と反対側に設け、
前記発信スイッチにおけるスイッチボタンは常時押上方向に付勢されてなり、前記付勢手段としてのバネの付勢力は、前記スイッチボタンの付勢力よりも大きくなるように設定されていることを特徴とする請求項１乃至３のいずれか一項に記載の発信機。
【請求項６】
前記押ボタン格納部は前記保持片を収納するとともに、前記押ボタン格納部を前面から覆う蓋体とを備え、
該蓋体は、前記保持片における前記押ボタンの押下状態の解除操作をするための開口部と、該開口部を開閉自在に覆う開閉板とを有し、該開閉板は、その基部側に設けられた取付構造によって前記蓋体に取り付けられてなり、
前記取付構造は、前記開口部の両側縁部に設けられて前記開口部の内方に突出する凸軸と、前記開閉板の両側端面に設けられて前記凸軸が挿入される軸受穴と、該軸受穴に連続すると共に開閉板内方側に傾斜する傾斜面部とを備えてなり、
前記開閉板は、前記開閉板の反基部側を前記蓋体の前記開口部に背面側から挿入して、前記凸軸と前記傾斜面とを当接させて前面側に引き出すことで、前記凸軸が前記傾斜面部を乗り越えて前記軸受穴に挿入されて取り付けられていることを特徴とする請求項１乃至５のいずれか一項に記載の発信機。
【発明の詳細な説明】
【技術分野】
【０００１】
本発明は、例えば消火栓箱、総合盤等の機器収納箱に取り付けられて火災信号を発信する発信機に関する。
なお、本明細書において、方向を示す上下とは、発信機を壁面等の取付面に取り付けた状態を基準に表示するものであり、例えば発信機を屋内に取り付けた場合には、「上」とは天井側で「下」とは床側である。また、発信機の構成部品の「面」の特定についても同様であり、「前面」とは壁面等の発信機を取り付ける取付面の表面と同じ側の面をいい、「背面」とは取付面の背面と同じ側の面をいう。
【背景技術】
【０００２】
発信機には押ボタンと該押ボタンに連動する発信スイッチが設けられており、該押ボタンを押下することで発信スイッチが作動して火災信号を発信する。発信機には押ボタンの押下状態を保持する押ボタン保持構造が設けられており、これによって火災信号を発信し続けられるようになっている。
【０００３】
このような押ボタン保持構造を備えた発信機としては、例えば特許文献１に開示されたものがある。
特許文献１の発信機の押ボタンは、押ボタンにおける操作面の片側に脚部を有すると共に、前記操作面における前記脚部の反対側に係止部を設け、前記脚部の端部を回動部として回動させ、前記係止部を発信機の本体側に係止させて押ボタンの押下状態を保持するというものである。
【０００４】
また、他の押ボタン保持構造を有する発信機として、特許文献２に開示されたものは、本体側に係止するための一対のロック片を縁部に有する押ボタンと、該押ボタンの周縁部を取り囲むロックバネを有し、押ボタンを発信機本体側に真っ直ぐ押し込むことで、ロックばねが押ボタンのロック片を乗り越えて、係止するようになっている。
【先行技術文献】
【特許文献】
【０００５】
【特許文献１】実開昭６４−０２４４９２号公報
【特許文献２】特開平４−８５６９９号公報
【発明の概要】
【発明が解決しようとする課題】
【０００６】
特許文献１の発信機は、押ボタンが脚部を有する構造であるため、発信機が大型化するという問題がある。
また、特許文献２の発信機は、押ボタンを真っ直ぐに押下する構造であるため小型化は可能であるが、一対のロック片がロックバネを乗り越えて係止する構造であり、かつ２か所で係止する構造であるため、押ボタン押下時にロック片の片側のみがロックバネに係止する片押し状態になる可能性がある。この状態になると、操作が正常に行われていないにもかかわらず、それ以上押ボタンを押せないことにもなりかねないという問題がある。
【０００７】
本発明は、上記のような課題を解決するためになされたものであり、小型化が可能で、かつ押ボタンを円滑かつ確実に操作できる発信機を得ることを目的とする。
【課題を解決するための手段】
【０００８】
（１）本発明に係る発信機は、火災信号を発信する発信スイッチと、該発信スイッチを格納する本体部と、押下されることで前記発信スイッチのスイッチボタンを作動させる押ボタンと、該押ボタンを格納する押ボタン格納部と、前記押ボタンを押上方向に常時付勢する付勢手段と、前記押ボタンの一部に係止して該押ボタンの押下状態を保持する保持片とを備えてなる発信機であって、
前記押ボタン格納部には、前記押ボタンが押下前の姿勢を維持したまま前記保持片側に向かって押下移動するようにガイドするガイド部が設けられていることを特徴とするものである。
【０００９】
（２）また、上記（１）に記載のものにおいて、前記ガイド部はガイド溝からなり、前記押ボタンは前記ガイド溝に挿入されるスライド片を有し、前記ガイド溝が前記保持片側に向かって傾斜していることを特徴とするものである。
【００１０】
（３）また、上記（１）に記載のものにおいて、前記ガイド部はガイド片からなり、前記押ボタンは前記ガイド片が挿入される溝部を有し、前記ガイド片は前記保持片側に向かって傾斜していることを特徴とするものである。
【００１１】
（４）また、上記（１）乃至（３）のいずれかに記載のものにおいて、前記付勢手段は、バネからなり、該バネを前記発信スイッチのスイッチボタンに隣接して設けたことを特徴とするものである。
【００１２】
（５）また、上記（１）乃至（３）のいずれかに記載のものにおいて、前記付勢手段はバネからなり、該バネを前記押ボタン格納部における前記スイッチボタンを挟んだ前記保持片設置側と反対側に設け、
前記発信スイッチにおけるスイッチボタンは常時押上方向に付勢されてなり、前記付勢手段としてのバネの付勢力は、前記スイッチボタンの付勢力よりも大きくなるように設定されていることを特徴とする請求項１乃至３のいずれか一項に記載の発信機。
【００１３】
（６）また、上記（１）乃至（５）のいずれかに記載のものにおいて、前記押ボタン格納部は前記保持片を収納するとともに、前記押ボタン格納部を前面から覆う蓋体とを備え、
該蓋体は、前記保持片における前記押ボタンの押下状態の解除操作をするための開口部と、該開口部を開閉自在に覆う開閉板とを有し、該開閉板は、その基部側に設けられた取付構造によって前記蓋体に取り付けられてなり、
前記取付構造は、前記開口部の両側縁部に設けられて前記開口部の内方に突出する凸軸と、前記開閉板の両側端面に設けられて前記凸軸が挿入される軸受穴と、該軸受穴に連続すると共に開閉板内方側に傾斜する傾斜面部とを備えてなり、
前記開閉板は、前記開閉板の反基部側を前記蓋体の前記開口部に背面側から挿入して、前記凸軸と前記傾斜面とを当接させて前面側に引き出すことで、前記凸軸が前記傾斜面部を乗り越えて前記軸受穴に挿入されて取り付けられていることを特徴とするものである。
【発明の効果】
【００１４】
本発明においては、押ボタン格納部に押ボタンが押下前の姿勢を維持したまま保持片側に向かって押下移動するようにガイドするガイド溝を設けたことにより、押ボタンを押下したときに押ボタンが保持片側に向かって保持片を迎えるように移動するので、保持片による押ボタンの保持動作を円滑に行うことができ、押ボタンの操作を円滑かつ確実に行うことができる。
【図面の簡単な説明】
【００１５】
【図１】本発明の実施の形態に係る発信機の内部構造を説明する立断面図である。
【図２】本発明の実施の形態に係る発信機の斜視図である。
【図３】本発明の実施の形態に係る発信機の蓋体を取り外した状態における正面図である。
【図４】本発明の実施の形態に係る発信機の分解斜視図である。
【図５】本発明の実施の形態に係る発信機の押ボタンを説明する説明図である。
【図６】本発明の実施の形態に係る発信機を構成する部品の説明図である。
【図７】本発明の実施の形態に係る発信機を構成する一部品の正面側からの斜視図である。
【図８】図７に示す部品の背面側からの斜視図である。
【図９】本発明の実施の形態に係る発信機の内部構造を説明する説明図であって、発信機を一部組立てた状態の斜視図である。
【図１０】本発明の実施の形態に係る発信機を構成する一部品を斜め上方から見下ろした状態を図示したものである。
【図１１】図１０に示す部品を斜め下方から見上げた状態を図示したものである。
【図１２】本発明の実施の形態に係る発信機の内部構造を説明する説明図であって、発信機の中央を通る立断面の一部を拡大して図示したものである。
【図１３】本発明の実施の形態に係る発信機の押ボタンの押下前後の状態を説明する説明図である（その１）。
【図１４】本発明の実施の形態に係る発信機の押ボタンの押下前後の状態を説明する説明図である（その２）。
【図１５】本発明の実施の形態に係る発信機の押ボタンの押下前後の状態を説明する説明図である（その３）。
【図１６】本発明の実施の形態に係る発信機の蓋体を説明する説明図である。
【図１７】本発明の実施の形態に係る発信機の蓋体に取り付けられる開閉板を説明する説明図である。
【図１８】本発明の実施の形態に係る発信機の蓋体の開閉板の動作を説明する説明図である。
【発明を実施するための形態】
【００１６】
本発明の一実施の形態に係る発信機１は、図２に示す通り、箱状からなり内部に火災信号を発信する発信スイッチ５（図４参照）等を収容する本体部７と、本体部７の一面に設けられる扁平した円筒体からなり、発信スイッチ５のスイッチボタンを作動させる押ボタン３を格納する押ボタン格納部９とを有している。
押ボタン格納部９は、浅底の有底円筒枠状に形成されており、その内部には内部空間を前面側と背面側に仕切る仕切り板５１が設置されている。
発信機１の各構成について以下に図１〜図１２に基づいて詳細に説明する。
【００１７】
＜本体部＞
本体７は、図４に示す通り、箱状からなり内部に火災信号を発信する発信スイッチ５等を格納する。
発信スイッチ５は立方体状の箱からなり、一端面には出没可能なスイッチボタン５ａが設けられており、このスイッチボタン５ａが押ボタン格納部９側に延出するように、本体７に収容されている。
スイッチボタン５ａは、通常時は出状態になるように蓋体１３側（押上方向）に付勢されており、所定の力で押し込むことで没状態になる。そして、没状態のときに発信機１から火災信号が発信される。
【００１８】
＜押ボタン＞
押ボタン３は図１〜図４および図５に示すように矩形状の板からなる。押ボタン３の一面は操作面３ａになっており、図３に示す通り、操作面３ａの背面側を本体部７側にして、押ボタン格納部９における中央より少し縁寄り（図３中の下寄り）に取り付けられている。スイッチボタン５ａは後述する押ボタン格納部９の中心部に設けられているため、押ボタン３の中心より少し上方にずれた位置にスイッチボタン５ａが位置することになる。
【００１９】
押ボタン３の上辺部には、図５に示すように、該辺部に沿う直方体状からなる係止爪２１が、操作面３ａの背面側から上方に延出するように設けられている。
係止爪２１における操作面３ａ側の面は、基端側から先端側にかけて傾斜する傾斜面２１ａになっており、さらに傾斜面２１ａに隣り合う面も先端側にかけて傾斜する傾斜面２１ｂになっている（図５および図１２参照）。
【００２０】
押ボタン３の両側部には、小板３ｂが対向して設けられ、各小板３ｂには、本体部７側に向かって延出するスライド片３ｃが形成されている。
スライド片３ｃは操作面３ａ側から本体部７側にかけて保持片７１側（図１参照）にわずかに傾斜するように設けられている。
スライド片３ｃは、後述するように、押ボタン格納部９のガイド溝５７に挿入され（図１３参照）、押ボタン３は、押下げ前の状態では、図２に示すように、操作面３ａが押ボタン格納部９の蓋体１３の前面と略平行になっている。
【００２１】
＜押ボタン格納部＞
押ボタン格納部９の底面の周縁には、底面から立設するリング状の縦壁からなり、蓋体１３が取り付けられる取付部１１が設けられている。
押ボタン格納部９の底面には、図６に示すように、矩形状の凹陥部３１が設けられている。凹陥部３１の両脇には後述する仕切り板５１をねじ止めするためのねじスタッド３３が設けられている。
【００２２】
上述したように、押ボタン格納部９には、発信スイッチ５のスイッチボタン５ａが延出しており、このスイッチボタン５ａに隣接して押ボタン用コイルバネ３５（図４参照）を保持するバネ保持部３７が設けられている。より具体的には、スイッチボタン５ａを挟んだ保持片７１設置側と反対側に、押ボタン用コイルバネ３５（図４参照）を保持するバネ保持部３７が設けられている。
押ボタン用コイルバネ３５は、押ボタン３を押上方向に常時付勢する本発明の付勢手段に相当する。
【００２３】
押ボタン用コイルバネ３５は、バネ保持部３７に挿入されて保持され、押ボタン３を蓋体１３側（押上方向）に付勢する。
なお、押ボタン用コイルバネ３５の付勢力は、スイッチボタン５ａを出状態に付勢する力よりも、強く設定されている
【００２４】
押ボタン格納部９の凹陥部３１におけるスイッチボタン５ａおよびバネ保持部３７の両脇には、柱状のガイド柱３９が片側２本ずつ立設されている。
ガイド柱３９の保持片７１側（図１参照）の面は、押ボタン３のスライド片３ｃが摺接して押ボタン３をガイドするガイド面３９ａになっている。ガイド面３９ａは、ガイド柱３９の先端側から基端側にかけて保持片７１側（図１参照）に傾斜しており、その傾斜角度はスライド片３ｃの傾斜角度と同一である。
【００２５】
上述したように、押ボタン格納部９には仕切り板５１が設置されているので、この仕切り板５１の構造を以下、詳細に説明する。
《仕切り板》
仕切り板５１は、図７に示すように、略円板状からなり、その中央部には押ボタン３が配置される（図３参照）矩形状の開口部５１ａが形成されている。仕切り板５１は、図３、図４および図９に示すように、取付部１１の内壁に略内接して、押ボタン格納部９を覆うようにして取り付けられる。
開口部５１ａの向かい合う両辺部には、図７に示すように、直方体のブロック体５３が設けられている。そして各ブロック体５３における仕切り板５１の背面側には、図８に示すように、直方体状の凹陥からなり、仕切り板５１を押ボタン格納部９に取り付けた状態で各ガイド柱３９（図４参照）がそれぞれ挿入される小部屋５５が形成されている。
【００２６】
小部屋５５の高さはガイド柱３９の高さと同程度に設定されている。小部屋５５の図８中上側の壁面はスライド片３ｃが摺接するガイド面５５ａ（図７および図８参照）になっており、ガイド柱３９のガイド面３９ａと同様に傾斜している。
各小部屋５５に各ガイド柱３９が挿入されると、図９に示すように、ガイド柱３９のガイド面３９ａと小部屋５５のガイド面５５ａとが所定の隙間をあけて対向し、この隙間が押ボタン３のスライド片３ｃが挿入されてガイドされるガイド溝５７になっている。
【００２７】
ガイド柱３９のガイド面３９ａと小部屋５５のガイド面５５ａは、上述したとおり保持片７１側に向かって傾斜しているため、ガイド溝５７も保持片７１側に向かって傾斜している。なお、図９は、ガイド溝５７の形状を確認しやすいように、押ボタン３（および保持片７１）を取り付けないで、押ボタン格納部９に仕切り板５１を取り付けた状態を示している。
【００２８】
ガイド溝５７は、図１に示すように、押ボタン３のスライド片３ｃが挿入されて、押ボタン３が押下前の姿勢を維持したまま押下移動するようにガイドするようになっている。
押ボタン３の押下前の姿勢では、前述したように、操作面３ａが押ボタン格納部９の蓋体１３の前面と略平行になって、スライド片３ｃの操作面３ａ側の端面が小部屋５５の端面に当接している（図１３（ａ）参照）。
したがって、押ボタン３が押下前の姿勢を維持したまま押下移動するとき、操作面３ａが押ボタン格納部９の蓋体１３の前面と略平行を保ったまま、スライド片３ｃがガイド溝５７にガイドされ、操作面３ａ側の端面が小部屋５５の端面から離れていく（図１３（ｂ）参照）。
また、ガイド溝５７および後述するガイド面６１ａは、保持片７１側に向かって傾斜しているため、押ボタン３は押下されると、本体部７側に移動するとともに、保持片７１側に近づくように移動する。
【００２９】
仕切り板５１の背面側における開口部５１ａの図８中上側の縁部には、矩形状の凹陥部からなり保持片７１を収納する矩形状の保持片収納部５９が設けられている。
保持片収納部５９の一端面は切り欠き５９ａとなっており、また保持片収納部５９の底面には扁平した略Ｔ字状の穴５９ｂが設けられている。
【００３０】
開口部５１ａの図７中下側の縁部には、一対の小片６１が立設しており、小片６１の開口部５１ａ側の面は押ボタン３の縁部が摺接して押ボタン３をガイドするガイド面６１ａになっている。ガイド面６１ａは基端側から先端側にかけて傾斜しており、傾斜角度はガイド柱３９のガイド面３９ａの傾斜角度と同一になっている。
【００３１】
＜保持片＞
保持片７１は、図１０に示すように、立方体状のブロック状からなり、図１および図３に示す通り、保持片収納部５９に収納されている。保持片７１の一端面には、切り欠き５９ａから開口部５１ａ側に突出する小片からなる係止爪７３が設けられており、係止爪７３が押ボタン３の係止爪２１と係合するようになっている。係止爪７３の前面側（図１０中上側の面）は、基端側から先端側にかけて傾斜する傾斜面７３ａになっている（図１２参照）。傾斜面７３ａの背面側の面も、傾斜面７３ａと同様に基端側から先端側にかけて傾斜する傾斜面７３ｂになっている（図１１、図１２参照）。
【００３２】
保持片７１における前面（図１０中上面）には前面側に延出する小板からなる操作部７５が設けられており、保持片７１を保持片収納部５９に収納した状態で、保持片収納部５９の穴５９ｂから所定長さ突出するようになっている（図１参照）。
保持片７１における背面には、図１１に示すように、保持片７１を付勢する保持片用コイルバネ７７を収容するバネ収容部７９が設けられ、さらにバネ収容部７９には保持片用コイルバネ７７を挿入して保持するバネ保持片７９ａが設けられている。
【００３３】
保持片用コイルバネ７７は、図１２に示すように、保持片７１を押ボタン３側に付勢している。そのため保持片７１は、通常時は保持片収納部５９の下方縁部に当接して、図１２に示すように、係止爪７３が保持片収納部５９から押ボタン３側に突出（出状態）している。保持片７１の操作部７５は、図１８（ｂ）に示すように、開閉板１５を開けることで操作可能になっており、係止爪７３が出状態のとき、操作部７５を図１２中上側（図１２中の太矢印参照）に押し上げることで、係止爪７３の大部分が保持片収納部５９内に収納される状態（没状態）にすることができる。押ボタン３の押下状態が保持されている状態で、操作部７５を上記のように操作すれば、押ボタン３の押下状態が解除される。
【００３４】
＜蓋体＞
蓋体１３の中央の縁部寄りには、図１６に示す通り、押ボタン３が配置される略矩形状の押ボタン用開口部１３ａが設けられている。蓋体１３には押ボタン用開口部１３ａに隣接して長方形状の開口からなり、保持片７１による押ボタン３の押下状態の解除操作を行うための操作用開口部１３ｂが設けられている。
【００３５】
操作用開口部１３ｂには、図２および図４に示す通り、開閉自在に覆う開閉板１５が取り付けられる（図１８参照）。開閉板１５は、図２および図１７に示すように横長の長方形状板からなる。開閉板１５の一方の長辺を基部１５ａとして、基部１５ａ側に設けられた取付構造によって、操作用開口部１３ｂに回動自在に取り付けられる。
【００３６】
開閉板１５の取付構造について以下に説明する。
操作用開口部１３ｂの左右両側縁部には、図１６に示すように、操作用開口部１３ｂの内方に突出する凸軸１３ｃが設けられている。
開閉板１５の基部１５ａの両側には短辺方向に沿って、直方体状のブロック体からなる取付部１７が設けられている。取付部１７の端面には、操作用開口部１３ｂの凸軸１３ｃが挿入される軸受穴１７ａが設けられている。軸受穴１７ａの反基部１５ａ側（基部１５ａの反対側）には、軸受穴１７ａに連続する平面部１７ｂと、平面部１７ｂに連続して開閉板１５内方側に傾斜する傾斜面部１７ｃが設けられている。
【００３７】
操作用開口部１３ｂに開閉板１５を取り付けるには、開閉板１５の反基部１５ａ側を蓋体１３の操作用開口部１３ｂに背面側から挿入して、凸軸１３ｃを傾斜面部１７ｃに当接させて開閉板１５を前面側に強く引き出す。こうすることで、凸軸１３ｃが傾斜面部１７ｃおよび平面部１７ｂにガイドされるとともに、これらを乗り越えることで軸受穴１７ａに挿入されるようになっている。
開閉板１５は上記のような取付構造で取り付けられているため、仮にいたずらされて、開閉板１５が正面側に引っ張られても外れないようになっている。
【００３８】
以上のように構成された本実施の形態に係る発信機１の動作を図１３〜図１５に基づいて説明する。
図１３は蓋体１３を取り外した状態における図３中のＢ−Ｂ矢視断面であり、スライド片３ｃの動きを示す図である。図１３（ａ）は通常時の状態を、図１３（ｂ）は押ボタン３押下時の状態を図示したものである。
図１４および図１５は、いずれも図３中のＡ−Ａ矢視断面におけるボタン押下前後の状態を、図１４は立体的に、図１５は平面的に図示したものである。図１４（ａ）および図１５（ａ）が押下前、図１４（ｂ）および図１５（ｂ）が押下後の状態をそれぞれ示している。
【００３９】
押ボタン３が押圧されると、スライド片３ｃがガイド溝５７に沿ってスライドすることで、ガイド溝５７にガイドされ、押ボタン３が押圧前の姿勢を維持したまま押下移動する。このとき、スライド溝５７が保持片側７１に向かって傾斜しているので、押ボタン３は、保持片７１側に近づくように移動する（図１５（ａ）中の太矢印を参照）。そのため、押ボタン３の係止爪２１が保持片７１の係止爪７３に当接したときに、保持片７１を没方向に向かわせる方向に力が作用するので、押ボタン３が真っ直ぐ下方に押下げられる場合に比較して、保持片７１がスムーズに没方向に移動し、それ故に押ボタン３をスムーズに押下することができる。
【００４０】
また、押ボタン３は、押ボタン用コイルバネ３５とスイッチボタン５ａの２か所で反力を受けるようになっているため、１か所で反力を受ける場合よりも安定的に押下可能になっている。
さらに、押ボタン用コイルバネ３５の付勢力は、スイッチボタン５ａを出状態に付勢する力よりも、強く設定されている。そのため、仮に、押ボタン３の下側のみを押圧しても、下側が強く押し返されるため、押ボタン３の通常時の姿勢を保ったまま押下することができる。つまり、押ボタン３は姿勢を崩して引っ掛かることがなく、スムーズに押下することができる。
【００４１】
押ボタン３の移動に伴って、保持片７１の係止爪７３の傾斜面７３ａが押ボタン３の係止爪２１の傾斜面２１ｂに押圧されることで、保持片用コイルバネ７７の付勢力に逆らって、次第に保持片７１が保持片収納部５９ａ側に押し上げられて係止爪７３が没状態になる。
押ボタン３がある程度移動すると、スイッチボタン５ａは没状態になり、火災信号が発信される。
また、押ボタン３がある程度移動すると、係止爪７３は没状態になった後、保持片用コイルバネ７７の付勢力により、押ボタン３の係止爪２１を乗り越えるようにして再び出状態になる。この状態で押ボタン３から指を離しても、図１５に示すように押ボタン３の係止爪２１の傾斜面２１ａが保持片７１の係止爪７３の傾斜面７３ｂに係止されて、押ボタン３の押下状態（スイッチボタン５ａの没状態）が保持される。すなわち、保持片７１が、押ボタン３の一部を係止して、押ボタン３の押下状態を保持する。このとき火災信号は発信され続けている。
【００４２】
保持片７１で押ボタン３の押下状態が保持されているときに、開閉板１５を開けて、保持片用コイルバネ７７の付勢力に逆らって、保持片７１の操作部７５を図１５（ｂ）中上側に押し上げて係止爪７３を没状態にすることにより、押ボタン３の係止爪２１と保持片７１の係止爪７３との係止状態が解除されて、押ボタン用コイルバネ３５の付勢力により、押ボタン３は再び図１３（ａ）、図１４（ａ）および図１５（ａ）に示す押下前の状態に戻る。こうすることで、スイッチボタン５ａの没状態が解除されて火災信号の発信が停止する。
【００４３】
以上のように、本実施の形態においては、押ボタン３は押下されると、ガイド溝５７によってガイドされることにより、本体部７側かつ保持片７１側に移動するようになっているので、保持片７１の係止爪７３に当接したときに、保持片７１を没方向に向かわせる方向に力が作用するので、押ボタン３が真っ直ぐ下方に押下げられる場合に比較して、保持片７１がスムーズに没方向に移動し、それ故に押ボタン３をスムーズに押下することができる。
【００４４】
また、押ボタン用コイルバネ３５がスイッチボタン５ａに隣接して設けられているので、押ボタン３は、押ボタン用コイルバネ３５とスイッチボタン５ａの２か所で反力を受けるようになっているため安定的に押下可能になっている。
さらに、押ボタン用コイルバネ３５の反発力は、スイッチボタン５ａを出状態に付勢する力よりも、強く設定されているため、仮に、押ボタン３の下側のみを押圧しても、押ボタン３は姿勢を崩して引っ掛かることがなく、スムーズに押下することができる。
【００４５】
なお、上記の説明では、押ボタン格納部９に設けられる本発明のガイド部に相当するものとしてガイド溝５７を例示したが、ガイド部は押ボタン３が押下前の姿勢を維持したまま保持片７１側に向かって押下移動するようにガイドするものであれば、上記の例に限られない。ガイド部の他の態様としては、例えば、保持片７１側に傾斜する凸条からなるガイド片でもよい。この場合、押ボタン３には例えば、前記ガイド片が挿入される溝部を設ける。また、押ボタン３が前記ガイド片によってガイドされるようなものであれば溝形に限られず、例えば、前記ガイド片を挟んで対向配置してなる凸部あるいは短い棒状のものでもよい。
【符号の説明】
【００４６】
１  発信機
３  押ボタン
３ａ  操作面
３ｂ  小板
３ｃ  スライド片
５  発信スイッチ
５ａ  スイッチボタン
７  本体部
９  押ボタン格納部
１１  取付部
１３  蓋体
１３ａ  押ボタン用開口部
１３ｂ  操作用開口部
１３ｃ  凸軸
１５  開閉板
１５ａ  基部
１７  取付部
１７ａ  軸受穴
１７ｂ  平面部
１７ｃ  傾斜面部
２１  係止爪
２１ａ  傾斜面
２１ｂ  傾斜面
３１  凹陥部
３３  ねじスタッド
３５  押ボタン用コイルバネ
３７  バネ保持部
３９  ガイド柱
３９ａ  ガイド面
５１  仕切り板
５１ａ  開口部
５３  ブロック体
５５  小部屋
５５ａ  ガイド面
５７  ガイド溝
５９  保持片収納部
５９ａ  切り欠き
５９ｂ  穴
６１  小片
６１ａ  ガイド面
７１  保持片
７３  係止爪
７３ａ  傾斜面
７３ｂ  傾斜面
７５  操作部
７７  保持片用コイルバネ
７９  バネ収容部
７９ａ  バネ保持片
【図１】
2014153993.tif 000003
【図２】
2014153993.tif 000004
【図３】
2014153993.tif 000005
【図４】
2014153993.tif 000006
【図５】
2014153993.tif 000007
【図６】
2014153993.tif 000008
【図７】
2014153993.tif 000009
【図８】
2014153993.tif 000010
【図９】
2014153993.tif 000011
【図１０】
2014153993.tif 000012
【図１１】
2014153993.tif 000013
【図１２】
2014153993.tif 000014
【図１３】
2014153993.tif 000015
【図１４】
2014153993.tif 000016
【図１５】
2014153993.tif 000017
【図１６】
2014153993.tif 000018
【図１７】
2014153993.tif 000019
【図１８】
2014153993.tif 000020